(57)【要約】【課題】    ペンケース等に収納する際は短縮状態に出来、使用する際には作業内容に応じて短縮状態と延長状態を選択可能でありながら、厚みが薄く一直線状の縁が用紙平面等に沿って配置可能で用紙平面と一直線状の縁の相対位置の視認性が高く且つ一直線状の縁に沿ってペン先等を走らせた際にペンと用紙平面の相対角度の変化による描画線の乱れが少なく、且つ用紙平面等に置いて線引き作業や切断作業を行う際に、ペンやナイフの先端から直線定規の一直線状の縁に加わる力によって直線定規がずれ動きにくいようなアイデアが求められている。【解決手段】  延長状態でおよそ長手方向に幅が狭くなる形状とし、且つ長手方向の全長におよそ等しい一直線状の縁（６）を両幅縁部の少なくとも一方（４）に備え、短縮状態で長手方向の全長におよそ等しい一直線状の縁（２４）を両幅縁部の少なくとも一方（３１）に備えるようにする。【選択図】         図６
2013212620.tif 000002
【特許請求の範囲】
【請求項１】
延長状態及び短縮状態を有する直線定規であって、
第１及び第２長尺部を長手方向に連結した前記延長状態と、
前記第１長尺部の長手方向に前記第２長尺部の長手方向が寄り添うように連結配置される前記短縮状態と、
を有し、
前記延長状態で、およそ長手方向に幅が狭くなる形状であり、且つ長手方向の全長におよそ等しい一直線状の縁を両幅縁部の少なくとも一方に備え、
前記短縮状態で、長手方向の全長におよそ等しい一直線状の縁を両幅縁部の少なくとも一方に備える、
直線定規。
【請求項２】
前記短縮状態で、長手方向の全長におよそ等しい一直線状の縁を両幅縁部の他方にも備える、請求項１に記載の直線定規。
【請求項３】
前記延長状態で、長手方向の全長におよそ等しい一直線状の縁を両幅縁部の他方にも備える、請求項１から請求項２のいずれかに記載の直線定規。
【発明の詳細な説明】
【技術分野】
【０００１】
本発明は、直線定規に関する。
【背景技術】
【０００２】
直線定規においては、特許文献１の実施例のように、複数の長方形帯状長尺部を厚み方向に重ね互いに揺動可能に連結し、複数の長尺部の長手方向が寄り添う短縮状態と、そこから１８０度揺動させて長手方向に連結された延長状態と、を有するアイデアが知られている。
【０００３】
また、直線定規においては、図７及び８の実施例のように、２つの長方形帯状長尺部を互いの頂角付近に設けた揺動軸によって連結し、２つの長尺部の長手方向が寄り添うように幅方向に重ねられた短縮状態と、そこから１８０度揺動させて長手方向に連結された延長状態と、を有するアイデアが知られている。
【先行技術文献】
【特許文献】
【０００４】
【特許文献１】特開２００１−２６４００２号公報
【発明の概要】
【発明が解決しようとする課題】
【０００５】
直線定規においては、ペンケース等に収納する際は短縮状態に出来、使用する際には作業内容に応じて短縮状態と延長状態を選択可能でありながら、厚みが薄く一直線状の縁が用紙平面等に沿って配置可能で用紙平面と一直線状の縁の相対位置の視認性が高く且つ一直線状の縁に沿ってペン先等を走らせた際にペンと用紙平面の相対角度の変化による描画線の乱れが少なく、且つ用紙平面等に置いて線引き作業や切断作業を行う際に、ペンやナイフの先端から直線定規の一直線状の縁に加わる力によって直線定規がずれ動きにくいようなアイデアが求められているが、特許文献１のようなアイデアの短縮状態では一直線状の縁の厚みが厚過ぎて視認性が悪く且つ描画線も乱れ易くなり、延長状態では縁が階段状になり一直線状の縁が得られず描画線がガタガタになり易い。
また、特許文献１や図７及び８のようなアイデアでは、収納性を考慮して幅が狭くされた長尺部は延長状態において指先で用紙平面に押し付けにくく且つ曲げ剛性も比較的低くなるのでペンやナイフから加わる力によって直線定規がずれ動き易くなってしまうし、縁に目盛りを配置している場合は押さ付ける指が邪魔して目盛りが見えにくくなる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る直線定規は、例えば図１、２、３、５及び６の組み、図９及び１０の組み、図１１及び１２の組み、のいずれかの組みのように、
図１、９、１１のような延長状態及び図２、６、１０、１２のような短縮状態を有する直線定規１であって、
長尺部２及び３を長手方向に連結した前記延長状態と、
長尺部２の長手方向に長尺部３の長手方向が寄り添うように連結配置される前記短縮状態と、
を有し、
前記延長状態で、およそ長手方向に幅が狭くなる形状であり、且つ長手方向の全長におよそ等しい一直線状の縁６を両幅縁部の少なくとも一方４に備え、
前記短縮状態で、長手方向の全長におよそ等しい一直線状の縁２４を両幅縁部の少なくとも一方３１に備える、直線定規である。
【０００８】
発明２に係る直線定規は、発明１の直線定規において、
図２、６、１２のような前記短縮状態で、長手方向の全長におよそ等しい一直線状の縁２５を両幅縁部の他方３２にも備える、直線定規である。
【０００９】
発明３に係る直線定規は、発明１から発明２のいずれかの直線定規において、
図１、１１のような前記延長状態で、長手方向の全長におよそ等しい一直線状の縁７を両幅縁部の他方５にも備える、直線定規である。
【発明の効果】
【００１０】
以上のように本発明では、延長状態と短縮状態を選択可能であり、それぞれの状態でおよそ全長に等しい一直線状の縁６及び２４を薄く設けるような設計が容易でありながら、延長状態でおよそ長手方向に幅が狭くなる形状としたことで幅の広い側を一方の手の指先で確実に押さえながら他方の手でペンやナイフ等を扱うことが可能となり、且つペンやナイフから直線定規１に加わる力による応力分布を考慮して直線定規１の大きさを最小限としながら曲げ剛性の高い直線定規１の設計が容易となる。
【００１１】
また発明２では、本発明の効果に加えて、短縮状態において利き手の違い等に関してより汎用性が高く高性能な直線定規１となる。
【００１２】
また発明３では、本発明の効果に加えて、延長状態において利き手の違い等に関してより汎用性が高く高性能な直線定規１となる。
【図面の簡単な説明】
【００１３】
【図１】第１実施形態の延長状態を第三角法で表した図
【図２】第１実施形態の短縮状態を第三角法で表した図
【図３】第１実施形態の長尺部２を第三角法で表した図
【図４】第１実施形態の別案の長尺部２を第三角法で表した図
【図５】第１実施形態の長尺部３を第三角法で表した図
【図６】第１実施形態の短縮状態を第三角法で表した図
【図７】従来の実施形態の延長状態を表した図
【図８】従来の実施形態の短縮状態を表した図
【図９】第２実施形態の延長状態を表した図
【図１０】第２実施形態の短縮状態を表した図
【図１１】第３実施形態の延長状態を表した図
【図１２】第３実施形態の短縮状態を表した図
【発明を実施するための形態】
【００１４】
本発明の第１実施形態を図１から６に基づいて説明する。
【００１５】
樹脂製の直線定規１は図１の延長状態で全長３１センチメートル、幅は３センチメートルから２センチメートルに狭くなるよう変化しており、厚みも４ミリメートルから２ミリメートルに薄くなるよう変化している。また表面８及び９の両幅縁部の一方４及び他方５にはそれぞれ面取り加工が施されており、それぞれが備える一直線状の縁６及び７を薄くして高性能化している。
また、図２及び６の短縮状態では全長１６センチメートル、幅は３センチメートルから２．５センチメートルに狭くなるよう変化しており、厚みも４ミリメートルから３ミリメートルに薄くなるよう変化している。
また、全長１６センチメートルの長尺部２は図３のように裏面１０には長尺部３が嵌合するよう長手方向に溝２６が設けられており、図６のように長尺部３を嵌合させた短縮状態では長尺部２及び３それぞれの裏面１０及び１１がおよそ同一平面上に位置するので、短縮状態でも一直線状の縁２４及び２５を用紙平面等にきれいに沿わせることが可能となる。
また、全長１６センチメートルの長尺部３は図５のように一端部１４に連結部２９を備えており、連結部２９の表面９から突出する円柱状の突起２０を長尺部２の他端部１３の溝２６から表面８に貫通するよう設けられた穴１９に嵌合させると同時に溝２６に連結部２９を嵌合させることでガタなく長尺部２及び３が連結され延長状態となる。また、長尺部２の溝２６から表面８には穴１６から１８も貫通しており、短縮状態では穴１６から１９それぞれに長尺部３の表面９から突出する円柱状の突起２０から２３が嵌合する。この突起２０から２３はおよそ５センチメートル毎に順に配置されており、長さを測るための目盛りを両幅縁部に配置した際の５センチメートル毎の目印としても機能する。
【００１６】
第１実施形態の別案としては、長尺部２の穴１６から１９に円柱状鉄片を圧入固定しておき、長尺部３の突起２０から２３を取り去って代わりに円柱状磁石を埋め込んでおくことで鉄片及び磁石の間に働く磁気吸着力によって長尺部２及び３を延長状態及び短縮状態の切り替え可能に連結するアイデアが考えられる。
また、別案としては、図４のように長尺部２裏面１０の溝２６の長手方向の両縁にそれぞれ爪形状２７及び２８を設けておき、長尺部３を引っ掛けて連結するようにしても良いだろう。この時、穴１６から１８と突起２１から２３は必要無く、突起２０の高さも低くしておけば、長尺部２の一端部１２から長尺部３の他端部１５を差し入れて溝２６内でスライドさせ連結することも容易だろう。このようなスライド構造であれば、爪形状２７及び２８をつなぐように溝２６に蓋をして長尺部２を筒状にしても良いだろう。
また、別案としては、長尺部３にも長尺部２の溝２６のような溝を設けておき、その溝に勘合する新たな長尺部を設けて三段構造にし、三通りの長さが選べる直線定規としても良いだろう。勿論同様に四段構造、五段構造と増やしていくことも当業者には容易である。
【００１７】
本発明の第２実施形態を図９及び１０に基づいて説明する。
【００１８】
樹脂製の直線定規１は図９の延長状態で全長３０センチメートル、幅は３センチメートルから１センチメートルに狭くなるよう変化しており、厚みは３ミリメートルである。また表面８及び９の両幅縁部の一方４には面取り加工が施されており、一方４が備える一直線状の縁６を薄くして高性能化している。
また、図１０の短縮状態では全長１６センチメートル、幅は４センチメートル、厚みは３ミリメートルである。
また、全長１６センチメートルの長尺部２の他端部１３の一方の頂角と、全長１６センチメートルの長尺部３の一端部１４の一方の頂角には直線定規１の厚み方向に配置される揺動軸線３３を中心とする連結部３０を成す構造がそれぞれ設けられており、延長状態では他端部１３及び一端部１４の縁が当接し、延長状態から連結部３０を中心として長尺部２及び３を相対揺動させ長尺部２及び３それぞれの他方５の縁を当接させることで短縮状態となる。
【００１９】
本発明の第３実施形態を図１１及び１２に基づいて説明する。
【００２０】
樹脂製の直線定規１は図１１の延長状態で全長３２センチメートル、幅は３センチメートルから２センチメートルに狭くなるよう変化しており、厚みも４ミリメートルから２ミリメートルに薄くなるよう変化している。また一方４及び他方５にはそれぞれ一直線状の縁６及び７を備えている。
また、図１２の短縮状態では全長１７センチメートル、幅は３センチメートルから２．５センチメートルに狭くなるよう変化しており、厚みも４ミリメートルから３ミリメートルに薄くなるよう変化している。
また、全長１７センチメートルの長尺部２の裏面１０には長尺部３が嵌合するよう長手方向に溝２６が設けられており、図１２のように長尺部３を嵌合させた短縮状態では長尺部２及び３それぞれの裏面１０及び表面９がおよそ同一平面上に位置するので、短縮状態でも一直線状の縁２４及び２５を用紙平面等にきれいに沿わせることが可能となる。
また、全長１６センチメートルの長尺部３は一端部１４に連結部３４を備えており、連結部３４は直線定規１の幅方向に配置された揺動軸線３３中心に揺動可能に長尺部２の他端部１３に支持されている。
また、延長状態では長尺部２の他端部１３の縁と長尺部３の一端部１４の縁が当接している。
【符号の説明】
【００２１】
１.                                      直線定規
２,３.                                 長尺部
４,３１.                             一方
５,３２.                             他方
６,７,２４,２５. 一直線状の縁
８,９.                                 表面
１０,１１.                         裏面
１２,１４.                         一端部
１３,１５.                         他端部
１６,１７,１８,１９.       穴
２０,２１,２２,２３.       突起
２６.                                  溝
２７,２８.                         爪形状
２９,３０,３４.                連結部
３３.                                  揺動軸線
【図１】
2013212620.tif 000003
【図２】
2013212620.tif 000004
【図３】
2013212620.tif 000005
【図４】
2013212620.tif 000006
【図５】
2013212620.tif 000007
【図６】
2013212620.tif 000008
【図７】
2013212620.tif 000009
【図８】
2013212620.tif 000010
【図９】
2013212620.tif 000011
【図１０】
2013212620.tif 000012
【図１１】
2013212620.tif 000013
【図１２】
2013212620.tif 000014
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
延長状態及び短縮状態を有する直線定規であって、
第１及び第２長尺部を長手方向に連結した前記延長状態と、
前記第１及び第２長尺部を厚み方向に重ね前記第１長尺部の長手方向に前記第２長尺部の長手方向が寄り添うように連結配置される前記短縮状態と、
を有し、
前記延長状態で、およそ長手方向に幅が狭くなる形状であり、且つ長手方向の全長におよそ等しい一直線状の縁を両幅縁部の少なくとも一方に備え、
前記短縮状態で、長手方向の全長におよそ等しい一直線状の縁を両幅縁部の少なくとも一方に備える、
直線定規。
【請求項２】
前記第１長尺部の他端部に前記第２長尺部の一端部を連結した前記延長状態と、
前記第１長尺部の一端部から他端部に向かう方向と、前記第２長尺部の一端部から他端部に向かう方向が一致する前記短縮状態と、
を有する、請求項１に記載の直線定規。
【請求項３】
前記延長状態で、長手方向の全長におよそ等しい一直線状の縁を両幅縁部の他方にも備える、請求項１から請求項２のいずれかに記載の直線定規。
【手続補正２】
【補正対象書類名】明細書
【補正対象項目名】全文
【補正方法】変更
【補正の内容】
【発明の詳細な説明】
【技術分野】
【０００１】
本発明は、直線定規に関する。
【背景技術】
【０００２】
直線定規においては、特許文献１の実施例のように、複数の長方形帯状長尺部を厚み方向に重ね互いに揺動可能に連結し、複数の長尺部の長手方向が寄り添う短縮状態と、そこから１８０度揺動させて長手方向に連結された延長状態と、を有するアイデアが知られている。
【０００３】
また、直線定規においては、図７及び８の実施例のように、２つの長方形帯状長尺部を互いの頂角付近に設けた揺動軸によって連結し、２つの長尺部の長手方向が寄り添うように幅方向に重ねられた短縮状態と、そこから１８０度揺動させて長手方向に連結された延長状態と、を有するアイデアが知られている。
【先行技術文献】
【特許文献】
【０００４】
【特許文献１】特開２００１−２６４００２号公報
【発明の概要】
【発明が解決しようとする課題】
【０００５】
直線定規においては、ペンケース等に収納する際は短縮状態に出来、使用する際には作業内容に応じて短縮状態と延長状態を選択可能でありながら、厚みが薄く一直線状の縁が用紙平面等に沿って配置可能で用紙平面と一直線状の縁の相対位置の視認性が高く且つ一直線状の縁に沿ってペン先等を走らせた際にペンと用紙平面の相対角度の変化による描画線の乱れが少なく、且つ用紙平面等に置いて線引き作業や切断作業を行う際に、ペンやナイフの先端から直線定規の一直線状の縁に加わる力によって直線定規がずれ動きにくいようなアイデアが求められているが、特許文献１のようなアイデアの短縮状態では一直線状の縁の厚みが厚過ぎて視認性が悪く且つ描画線も乱れ易くなり、延長状態では縁が階段状になり一直線状の縁が得られず描画線がガタガタになり易い。
また、特許文献１や図７及び８のようなアイデアでは、収納性を考慮して幅が狭くされた長尺部は延長状態において指先で用紙平面に押し付けにくく且つ曲げ剛性も比較的低くなるのでペンやナイフから加わる力によって直線定規がずれ動き易くなってしまうし、縁に目盛りを配置している場合は押さ付ける指が邪魔して目盛りが見えにくくなる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る直線定規は、例えば図１、２、３、５及び６の組み、図９及び１０の組み、のいずれかの組みのように、
図１、９のような延長状態及び図２、６、１０のような短縮状態を有する直線定規１であって、
長尺部２及び３を長手方向に連結した前記延長状態と、
長尺部２及び３を厚み方向に重ね長尺部２の長手方向に長尺部３の長手方向が寄り添うように連結配置される前記短縮状態と、
を有し、
前記延長状態で、およそ長手方向に幅が狭くなる形状であり、且つ長手方向の全長におよそ等しい一直線状の縁６を両幅縁部の少なくとも一方４に備え、
前記短縮状態で、長手方向の全長におよそ等しい一直線状の縁２４を両幅縁部の少なくとも一方３１に備える、直線定規である。
【０００８】
発明２に係る直線定規は、発明１の直線定規において、
長尺部２の他端部１３に長尺部３の一端部１４を連結した図１のような前記延長状態と、
長尺部２の一端部１２から他端部１３に向かう方向と、長尺部３の一端部１４から他端部１５に向かう方向が一致する図２、６のような前記短縮状態と、
を有する、直線定規である。
【０００９】
発明３に係る直線定規は、発明１から発明２のいずれかの直線定規において、
図１、９のような前記延長状態で、長手方向の全長におよそ等しい一直線状の縁７を両幅縁部の他方５にも備える、直線定規である。
【発明の効果】
【００１０】
以上のように本発明では、延長状態と短縮状態を選択可能であり、それぞれの状態でおよそ全長に等しい一直線状の縁６及び２４を薄く設けるような設計が容易でありながら、延長状態でおよそ長手方向に幅が狭くなる形状としたことで幅の広い側を一方の手の指先で確実に押さえながら他方の手でペンやナイフ等を扱うことが可能となり、且つペンやナイフから直線定規１に加わる力による応力分布を考慮して直線定規１の大きさを最小限としながら曲げ剛性の高い直線定規１の設計が容易となる。
【００１１】
また発明３では、本発明の効果に加えて、延長状態において利き手の違い等に関してより汎用性が高く高性能な直線定規１となる。
【図面の簡単な説明】
【００１２】
【図１】第１実施形態の延長状態を第三角法で表した図
【図２】第１実施形態の短縮状態を第三角法で表した図
【図３】第１実施形態の長尺部２を第三角法で表した図
【図４】第１実施形態の別案の長尺部２を第三角法で表した図
【図５】第１実施形態の長尺部３を第三角法で表した図
【図６】第１実施形態の短縮状態を第三角法で表した図
【図７】従来の実施形態の延長状態を表した図
【図８】従来の実施形態の短縮状態を表した図
【図９】第２実施形態の延長状態を表した図
【図１０】第２実施形態の短縮状態を表した図
【発明を実施するための形態】
【００１３】
本発明の第１実施形態を図１から６に基づいて説明する。
【００１４】
樹脂製の直線定規１は図１の延長状態で全長３１センチメートル、幅は３センチメートルから２センチメートルに狭くなるよう変化しており、厚みも４ミリメートルから２ミリメートルに薄くなるよう変化している。また表面８及び９の両幅縁部の一方４及び他方５にはそれぞれ面取り加工が施されており、それぞれが備える一直線状の縁６及び７を薄くして高性能化している。
また、図２及び６の短縮状態では全長１６センチメートル、幅は３センチメートルから２．５センチメートルに狭くなるよう変化しており、厚みも４ミリメートルから３ミリメートルに薄くなるよう変化している。
また、全長１６センチメートルの長尺部２は図３のように裏面１０には長尺部３が嵌合するよう長手方向に溝２６が設けられており、図６のように長尺部３を嵌合させた短縮状態では長尺部２及び３それぞれの裏面１０及び１１がおよそ同一平面上に位置するので、短縮状態でも一直線状の縁２４及び２５を用紙平面等にきれいに沿わせることが可能となる。
また、全長１６センチメートルの長尺部３は図５のように一端部１４に連結部２９を備えており、連結部２９の表面９から突出する円柱状の突起２０を長尺部２の他端部１３の溝２６から表面８に貫通するよう設けられた穴１９に嵌合させると同時に溝２６に連結部２９を嵌合させることでガタなく長尺部２及び３が連結され延長状態となる。また、長尺部２の溝２６から表面８には穴１６から１８も貫通しており、短縮状態では穴１６から１９それぞれに長尺部３の表面９から突出する円柱状の突起２０から２３が嵌合する。この突起２０から２３はおよそ５センチメートル毎に順に配置されており、長さを測るための目盛りを両幅縁部に配置した際の５センチメートル毎の目印としても機能する。
【００１５】
第１実施形態の別案としては、長尺部２の穴１６から１９に円柱状鉄片を圧入固定しておき、長尺部３の突起２０から２３を取り去って代わりに円柱状磁石を埋め込んでおくことで鉄片及び磁石の間に働く磁気吸着力によって長尺部２及び３を延長状態及び短縮状態の切り替え可能に連結するアイデアが考えられる。
また、別案としては、図４のように長尺部２裏面１０の溝２６の長手方向の両縁にそれぞれ爪形状２７及び２８を設けておき、長尺部３を引っ掛けて連結するようにしても良いだろう。この時、穴１６から１８と突起２１から２３は必要無く、突起２０の高さも低くしておけば、長尺部２の一端部１２から長尺部３の他端部１５を差し入れて溝２６内でスライドさせ連結することも容易だろう。このようなスライド構造であれば、爪形状２７及び２８をつなぐように溝２６に蓋をして長尺部２を筒状にしても良いだろう。
また、別案としては、長尺部３にも長尺部２の溝２６のような溝を設けておき、その溝に勘合する新たな長尺部を設けて三段構造にし、三通りの長さが選べる直線定規としても良いだろう。勿論同様に四段構造、五段構造と増やしていくことも当業者には容易である。
【００１６】
本発明の第２実施形態を図９及び１０に基づいて説明する。
【００１７】
樹脂製の直線定規１は図９の延長状態で全長３２センチメートル、幅は３センチメートルから２センチメートルに狭くなるよう変化しており、厚みも４ミリメートルから２ミリメートルに薄くなるよう変化している。また一方４及び他方５にはそれぞれ一直線状の縁６及び７を備えている。
また、図１０の短縮状態では全長１７センチメートル、幅は３センチメートルから２．５センチメートルに狭くなるよう変化しており、厚みも４ミリメートルから３ミリメートルに薄くなるよう変化している。
また、全長１７センチメートルの長尺部２の裏面１０には長尺部３が嵌合するよう長手方向に溝２６が設けられており、図１０のように長尺部３を嵌合させた短縮状態では長尺部２及び３それぞれの裏面１０及び表面９がおよそ同一平面上に位置するので、短縮状態でも一直線状の縁２４及び２５を用紙平面等にきれいに沿わせることが可能となる。
また、全長１６センチメートルの長尺部３は一端部１４に連結部３４を備えており、連結部３４は直線定規１の幅方向に配置された揺動軸線３３中心に揺動可能に長尺部２の他端部１３に支持されている。
また、延長状態では長尺部２の他端部１３の縁と長尺部３の一端部１４の縁が当接している。
【符号の説明】
【００１８】
１.                                      直線定規
２,３.                                 長尺部
４,３１.                             一方
５,３２.                             他方
６,７,２４,２５. 一直線状の縁
８,９.                                 表面
１０,１１.                         裏面
１２,１４.                         一端部
１３,１５.                         他端部
１６,１７,１８,１９.       穴
２０,２１,２２,２３.       突起
２６.                                  溝
２７,２８.                         爪形状
２９,３０,３４.                連結部
３３.                                  揺動軸線
【手続補正３】
【補正対象書類名】図面
【補正対象項目名】全図
【補正方法】変更
【補正の内容】
【図１】
2013212620.tif 000015
【図２】
2013212620.tif 000016
【図３】
2013212620.tif 000017
【図４】
2013212620.tif 000018
【図５】
2013212620.tif 000019
【図６】
2013212620.tif 000020
【図７】
2013212620.tif 000021
【図８】
2013212620.tif 000022
【図９】
2013212620.tif 000023
【図１０】
2013212620.tif 000024